(57)【特許請求の範囲】
【請求項１】
庫内の配膳室に複数段の配膳室を多段に配置し、
前記庫内の配膳室は複数段のセパレーターユニットにより各段の配膳室に分けられ、
各段の配膳室に温蔵部と冷蔵部とを区分する仕切部がそれぞれ設けられ、
前記セパレーターユニットは、前記仕切部と、前記各段の配膳室に前後並列状態で水平方向に架設された第一および第二の貫通パイプと、これらの貫通パイプの両端部を両持ち支持する、筐体に固定の支持部と、からそれぞれ構成され、
前記複数段のセパレーターユニットの上下仕切部の間にトレイが出入れ可能に搭載される温冷配膳車であって、
（Ａ）前記仕切部を摺動可能に貫通支持し、仕切移動溝が長手方向に延びる前記第一および第二の貫通パイプと、
（Ｂ）前記仕切部に格納され、前記仕切移動溝を通って前記貫通パイプ内に突出する摺動ブロックと、
（Ｃ）前記貫通パイプの内部に収容され、前記貫通パイプの一端部と前記摺動ブロックの突出部とを連結するコイルばねと、
（Ｄ）前記コイルばねが圧縮コイルばねの場合、前記摺動ブロックの圧縮コイルばね連結部側に、また前記コイルばねが引張コイルばねの場合、前記摺動ブロックの引張コイルばね連結部の反対側に、それぞれ一端が固定される横移動紐と、
（Ｅ）前記横移動紐が前記貫通パイプ内を通って案内され、前記貫通パイプの端部側から導かれる前後対の横ローラとを各段のセパレーターユニットにそれぞれ備え、
（Ｆ）前後対の横ローラから導かれる各段の横移動紐の他端同士を固定させる一方、前後対の横ローラ間に配設されて回転可能に最下段から最上段に亘って立設された巻取ロッドと、
（Ｇ）前記巻取ロッドに一端を固定して巻き付けられた巻取紐を掛止する、前記筐体に設けられた掛止具とをさらに有し、
（Ｈ）前記コイルばねが無負荷のとき、前記各段のセパレーターユニットの横移動紐は前記仕切部の摺動ブロックを横ローラを介して前記巻取ロッドにたわみなく接続され、前記巻取紐の巻上げまたは巻戻しにより全段のセパレーターユニットの仕切部を前記コイルばねの有効範囲で一括して左右に移動可能に構成された仕切一括移動機構を備えたことを特徴とする温冷配膳車。
【請求項２】
庫内の配膳室に複数段の配膳室を多段に配設し、
前記庫内の配膳室は複数段のセパレーターユニットにより各段の配膳室に分けられ、
各段の配膳室に温蔵部と冷蔵部とを区分する仕切部がそれぞれ設けられ、
前記セパレーターユニットは、前記仕切部と、前記各段の配膳室に前後並列状態で水平方向に架設された第一および第二の貫通パイプと、これらの貫通パイプの両端部を両持ち支持する、筐体に固定の支持部と、からそれぞれ構成され、
前記複数段のセパレーターユニットの上下仕切部の間にトレイが出入れ可能に搭載される温冷配膳車であって、
（Ａ）前記仕切部を摺動可能に貫通支持し、仕切移動溝が長手方向に延びる前記第一および第二の貫通パイプと、
（Ｂ）前記仕切部に格納され、前記仕切移動溝を通って前記貫通パイプ内に突出する摺動ブロックと、
（Ｃ）前記摺動ブロックの一側に固定され、前記貫通パイプの一側内を通る一方の横移動紐を案内する、前後対の横ローラと、
（Ｄ）前記摺動ブロックの他側に固定され、前記貫通パイプの他側内を通る他方の横移動紐を案内する、前後対の他方の横ローラと、
（Ｅ）前記摺動ブロックの一側から前後対の一方の横ローラを経て案内される一方の横移動紐同士を結束する一方、この結束部の両側で案内する一対の支持ローラとを各段のセパレーターユニットにそれぞれ備え、
（Ｆ）前記一方の横移動紐は、最上段から中央段まで各段対の支持ローラの上部を通過して互いに結束させる一方、中央段より一段下の段から最下段までは各段対の支持ローラの下部を通して結束され、前記最下段の対の支持ローラの下方に設けられた反転ローラと、
（Ｇ）前記反転ローラの上方に設けられた吊下げローラと、
（Ｈ）各段の一方の横移動紐同士の結束部に係止される錘用紐が反転ローラおよび吊下げローラを経て先端に昇降自在に設けられる錘と、
（Ｉ）前記摺動ブロックの他側から前後対の他方の横ローラを経て案内される他方の横移動紐の他端同士が固定される一方、最下段から最上段に亘って立設され、回転可能な巻取ロッドと、
（Ｊ）前記巻取ロッドに一端を固定して巻き付けられた巻取紐を掛止する、前記筐体に設けられた掛止具とをさらに有し、
（Ｋ）前記巻取紐の巻上げまたは巻戻りにより、前記錘の最上点と最下点の範囲内で、前記セパレーターユニットの仕切部を左右に移動可能に構成された錘による仕切一括移動機構を備えたことを特徴とする温冷配膳車。
【請求項３】
（Ａ）前記巻取ロッドに一端が固定されたバランスウエイト用巻取紐と、
（Ｂ）前記巻取ロッドからのバランスウエイト用巻取紐を案内するバランスウエイト用ローラと、
（Ｃ）前記バランスウエイト用ローラに案内されるバランスウエイト用巻取紐の下端に固定されるバランスウエイトとを有し、
（Ｄ）前記巻取ロッドとバランスウエイトとの間をバランスウエイト用巻取紐で連結して仕切一括機構が構成される請求項１または２に記載の温冷配膳車。
【請求項４】
（Ａ）前記筐体の外壁に設置された可逆駆動モータと、
（Ｂ）前記駆動モータの出力軸に設けられたドライブプーリと、
（Ｃ）前記巻取ロッドに設けられたドリブンプーリと、
（Ｄ）前記ドライブプーリとドリブンプーリを連結するベルトとを有し、
（Ｅ）前記駆動モータを正転または逆転させて巻取ロッドを回転させ、全段セパレーターユニットの仕切部の位置を一括して左右に移動させる仕切一括移動機構を備えた請求項１または２に記載の温冷配膳車。
【請求項５】
（Ａ）前記巻取ロッドに各段の横移動紐の他端同士を固定させる連結部は、一方の横移動紐にフックを他方の巻取ロッドにリングを備えるか、または、
（Ｂ）各段の一方の横移動紐同士の結束部に錘用紐を係止させる連結部は、何れか一方の紐にフックを、他方にリングを備え、
（Ｃ）前記フックをリングに着脱自在に連結させた請求項１または２に記載の温冷配膳車。
【発明の詳細な説明】
【技術分野】
【０００１】
本発明は、トレイを仕切部で温蔵部と冷蔵部に仕切る温冷配膳車に関するものである。
【背景技術】
【０００２】
季節によるメニューの変化にあわせ、温蔵部と冷蔵部に跨るトレイの面積比率を変更するには、トレイ搭載部の筐体間口を広げずに、仕切部を左右に移動するものとして特許第２９６７２２６号公報と特許第２９８１６４７号公報がある。また、トレイを搭載する筐体間口方向の左右にトレイを水平にスライドできる空間を備え、仕切部は固定したまま、トレイを左右にスライドさせるものとして、特開２００３−０９３１６５号公報がある。
【０００３】
特許第２９６７２２６号公報では、各段の仕切部を個別に移動するものと、全段の仕切部の中央を中間支柱で支持し、左右方向に連続移動可能に案内する支持案内機構が、公開されている。また、特許第２９８１６４７号公報では、仕切部の支持ロッドの周方向に、所定の間隔で溝を備え、スプリングで伏勢されたレバーに該溝と係合する突起を備え、仕切部を、該突起が係合する個々の該溝の位置に移動する、温冷配膳車が公開されている。
【０００４】
特開２００３−０９３１６５号公報では、トレイの側端部を保持する受具で、前記スライドできる空間に、トレイを伴って左右にスライドする、温冷配膳車が公開されている。
【先行技術文献】
【特許文献】
【０００５】
【特許文献１】特許第２９６７２２６号公報
【特許文献２】特許第２９８１６４７号公報
【特許文献３】特開２００３−０９３１６５号公報
【発明の概要】
【発明が解決しようとする課題】
【０００６】
しかしながら、特許第２９６７２２６号公報の、支持案内機構は、中間支柱があるために、筐体前面から搭載したトレイを、筐体背面から排出できず、また、中間支柱の移動にはピニオンを備える機構となり、筐体の奥行寸法が大型化する。また、特開２００３−０９３１６５号公報は、筐体の間口寸法が大型化して、搬送に支障をきたす場合があった。
【０００７】
さらに、特許第２９６７２２６号公報の、支持案内機構を除き、他の何れの従来技術も、仕切部を都度個別に、手で移動できるが、全段の仕切部を一括して変更できなかった。
【０００８】
さらにまた、特許第２９８１６４７号公報にあっては、支持ロッドの周方向の溝単位での移動となり、該周方向の溝の規制のもとで、仕切部を移動する制限があった。
【０００９】
すなわち、従来技術では、前記中間支柱と支持案内機構を排除した場合、セパレーターユニットは上下段で分離され、仕切部は、支持ロッドに支持され、温蔵部と冷蔵部を分ける空間に孤立して支持されるため、外部から仕切部を一斉に移動する力を、加えられない阻害要因があり、各段の仕切部を、一括して移動する機構を想到できなかった。
【００１０】
また、唯一仕切部と接触する、各段のセパレーターユニットの支持ロッドの内部を介して、仕切部を、一括して移動する機構も、想到できなかった。
【００１１】
本発明は、上述した事情を考慮してなされたもので、コンパクトな筐体で搬送しやすく、全段のセパレーターユニットの仕切部を、一括して所望の位置に移動させることができる仕切一括移動機構を備える温冷配膳車を提供するものである。
【課題を解決するための手段】
【００１２】
本発明は、上述した課題を解決するため、請求項１に記載したように、
庫内の配膳室に複数段の配膳室を多段に配置し、
前記庫内の配膳室は複数段のセパレーターユニットにより各段の配膳室に分けられ、
各段の配膳室に温蔵部と冷蔵部とを区分する仕切部がそれぞれ設けられ、
前記セパレーターユニットは、前記仕切部と、前記各段の配膳室に前後並列状態で水平方向に架設された第一および第二の貫通パイプと、これらの貫通パイプの両端部を両持ち支持する、筐体に固定の支持部と、からそれぞれ構成され、
前記複数段のセパレーターユニットの上下仕切部の間にトレイが出入れ可能に搭載される温冷配膳車であって、
（Ａ）前記仕切部を摺動可能に貫通支持し、仕切移動溝が長手方向に延びる前記第一および第二の貫通パイプと、
（Ｂ）前記仕切部に格納され、前記仕切移動溝を通って前記貫通パイプ内に突出する摺動ブロックと、
（Ｃ）前記貫通パイプの内部に収容され、前記貫通パイプの一端部と前記摺動ブロックの突出部とを連結するコイルばねと、
（Ｄ）前記コイルばねが圧縮コイルばねの場合、前記摺動ブロックの圧縮コイルばね連結部側に、また前記コイルばねが引張コイルばねの場合、前記摺動ブロックの引張コイルばね連結部の反対側に、それぞれ一端が固定される横移動紐と、
（Ｅ）前記横移動紐が前記貫通パイプ内を通って案内され、前記貫通パイプの端部側から導かれる前後対の横ローラとを各段のセパレーターユニットにそれぞれ備え、
（Ｆ）前後対の横ローラから導かれる各段の横移動紐の他端同士を固定させる一方、前後対の横ローラ間に配設されて回転可能に最下段から最上段に亘って立設された巻取ロッドと、
（Ｇ）前記巻取ロッドに一端を固定して巻き付けられた巻取紐を掛止する、前記筐体に設けられた掛止具とをさらに有し、
（Ｈ）前記コイルばねが無負荷のとき、前記各段のセパレーターユニットの横移動紐は前記仕切部の摺動ブロックを横ローラを介して前記巻取ロッドにたわみなく接続され、前記巻取紐の巻上げまたは巻戻しにより全段のセパレーターユニットの仕切部を前記コイルばねの有効範囲で一括して左右に移動可能に構成された仕切一括移動機構を備えたことを特徴とする温冷配膳車を提供するものである。
【００１３】
また、本発明は、上述した課題を解決するため、請求項２に記載したように、
庫内の配膳室に複数段の配膳室を多段に配設し、
前記庫内の配膳室は複数段のセパレーターユニットにより各段の配膳室に分けられ、
各段の配膳室に温蔵部と冷蔵部とを区分する仕切部がそれぞれ設けられ、
前記セパレーターユニットは、前記仕切部と、前記各段の配膳室に前後並列状態で水平方向に架設された第一および第二の貫通パイプと、これらの貫通パイプの両端部を両持ち支持する、筐体に固定の支持部と、からそれぞれ構成され、
前記複数段のセパレーターユニットの上下仕切部の間にトレイが出入れ可能に搭載される温冷配膳車であって、
（Ａ）前記仕切部を摺動可能に貫通支持し、仕切移動溝が長手方向に延びる前記第一および第二の貫通パイプと、
（Ｂ）前記仕切部に格納され、前記仕切移動溝を通って前記貫通パイプ内に突出する摺動ブロックと、
（Ｃ）前記摺動ブロックの一側に固定され、前記貫通パイプの一側内を通る一方の横移動紐を案内する、前後対の横ローラと、
（Ｄ）前記摺動ブロックの他側に固定され、前記貫通パイプの他側内を通る他方の横移動紐を案内する、前後対の他方の横ローラと、
（Ｅ）前記摺動ブロックの一側から前後対の一方の横ローラを経て案内される一方の横移動紐同士を結束する一方、この結束部の両側で案内する一対の支持ローラとを各段のセパレーターユニットにそれぞれ備え、
（Ｆ）前記一方の横移動紐は、最上段から中央段まで各段対の支持ローラの上部を通過して互いに結束させる一方、中央段より一段下の段から最下段までは各段対の支持ローラの下部を通して結束され、前記最下段の対の支持ローラの下方に設けられた反転ローラと、
（Ｇ）前記反転ローラの上方に設けられた吊下げローラと、
（Ｈ）各段の一方の横移動紐同士の結束部に係止される錘用紐が反転ローラおよび吊下げローラを経て先端に昇降自在に設けられる錘と、
（Ｉ）前記摺動ブロックの他側から前後対の他方の横ローラを経て案内される他方の横移動紐の他端同士が固定される一方、最下段から最上段に亘って立設され、回転可能な巻取ロッドと、
（Ｊ）前記巻取ロッドに一端を固定して巻き付けられた巻取紐を掛止する、前記筐体に設けられた掛止具とをさらに有し、
（Ｋ）前記巻取紐の巻上げまたは巻戻りにより、前記錘の最上点と最下点の範囲内で、前記セパレーターユニットの仕切部を左右に移動可能に構成された錘による仕切一括移動機構を備えたことを特徴とする温冷配膳車を提供するものである。
【００１４】
請求項３の発明は、
（Ａ）前記巻取ロッドに一端が固定されたバランスウエイト用巻取紐と、
（Ｂ）前記巻取ロッドからのバランスウエイト用巻取紐を案内するバランスウエイト用ローラと、
（Ｃ）前記バランスウエイト用ローラに案内されるバランスウエイト用巻取紐の下端に固定されるバランスウエイトとを有し、
（Ｄ）前記巻取ロッドとバランスウエイトとの間をバランスウエイト用巻取紐で連結して仕切一括機構が構成される請求項１または２に記載の温冷配膳車を提供するものである。
【００１５】
請求項４の発明は、
（Ａ）前記筐体の外壁に設置された可逆駆動モータと、
（Ｂ）前記駆動モータの出力軸に設けられたドライブプーリと、
（Ｃ）前記巻取ロッドに設けられたドリブンプーリと、
（Ｄ）前記ドライブプーリとドリブンプーリを連結するベルトとを有し、
（Ｅ）前記駆動モータを正転または逆転させて巻取ロッドを回転させ、全段セパレーターユニットの仕切部の位置を一括して左右に移動させる仕切一括移動機構を備えた請求項１または２に記載の温冷配膳車を提供するものである。
【００１６】
請求項５の発明は、
（Ａ）前記巻取ロッドに各段の横移動紐の他端同士を固定させる連結部は、一方の横移動紐フックを他方の巻取ロッドにリングを備えるか、または、
（Ｂ）各段の一方の横移動紐同士の結束部に錘用紐を係止させる連結部は、何れか一方の紐にフックを、他方にリングを備え、
（Ｃ）前記フックをリングに着脱自在に連結させた請求項１または２に記載の温冷配膳車を提供するものである。
【発明の効果】
【００１７】
本発明は、コンパクトな筐体で搬送しやすく、全段のセパレーターユニットの仕切部を、一括して所望の位置に移動しトレイの面積比率を変更する、仕切一括移動機構を備えた温冷配膳車を提供できる。
【００１８】
請求項２に係る発明では、錘の最上点と最下点の距離を、長くとることができ、全段のセパレーターユニットの仕切部をコイルばねの有効範囲より長い範囲で全段のセパレーターユニットの仕切部を一括して左右移動が可能な温冷配膳車を提供することができる。
【００１９】
請求項３に係る発明では、バランスウエイトと、バランスウエイト用巻取紐と、バランスウエイト用ローラを備え、巻取ロッドとバランスウエイト間を、バランスウエイト用ローラを介してバラウンスウエイト用巻取紐で連結し、巻取紐の操作時にコイルばねまたは錘の抵抗を、軽減させて全段のセパレーターユニットの仕切部を左右に一括して移動させることができる。
【００２０】
請求項４に係る発明では、モータを正転または逆転させて巻取ロッドを回転駆動させることで、全段のセパレーターユニットの仕切部を一括して所望の位置に移動できるため、作業者の仕切移動時の労力をさらに軽減できる。
【００２１】
請求項５に係る発明では、横移動紐と巻取ロッド間と、錘を下げたときの横移動紐と錘用紐との連結部間の、何れか一方の紐にフックを、他方にリングを備え、分離自在とすることができる。
【図面の簡単な説明】
【００２２】
【図１】温冷配膳車の左側庫内をドア開放状態で示すもので、温冷配膳車の全体を、筐体前面側から見た外観図である。
【図２】温冷配膳車の庫内に多段に配設されるセパレーターユニットであって、圧縮コイルばねを備えた特定段のセパレーターユニットの配置例を筐体前面側から見た縦断面図である。
【図３】温冷配膳車の庫内に多段に配設されるセパレーターユニットであって、引張コイルばねを備えた特定段のセパレーターユニットの配置例を筐体前面側から見た縦断面図である。
【図４】温冷配膳車の庫内に配設された第三の貫通ロッドを搭載したセパレーターユニットの平面図である。
【図５】引張コイルばねを１本に集約したセパレーターユニットの平面図である。
【図６】引張コイルばねに代わって、支持ローラ、反転ローラ、錘用紐、吊下げローラを備え、錘を載下した区分の筐体側側面図である。
【図７】引張コイルばねに代わって錘を載下し、反転ローラと吊下げローラを廃止し、巻取ロッド、錘用紐、錘載下ローラを備え、錘を載下した区分の筐体側の側面図である。
【図８】コイルばねまたは引張コイルばねに代わって錘を搭載し、巻取ロッドを備え、巻取紐、掛止具、およびバランスウエイト用ローラ、バランスウエイト用巻取紐、バランスウエイトを搭載した区分の筐体側の側面図である。
【図９】コイルばねを省略し横移動紐を巻取ロッドに周回させ、巻取紐をループにして正転逆転方向に操作するセパレーターユニットの平面図である。
【図１０】筐体の外壁に備えた正転逆転モータと、巻取ロッド用プーリの立面図である。
【発明を実施するための形態】
【００２３】
以下、本発明の実施の形態について添付図面を参照して説明する。
【００２４】
本発明に係る温冷配膳車の実施の形態を図１ないし図１０にそれぞれ示す。
【００２５】
本実施の形態において、特に指定のない貫通パイプは、第一、第二、第三の貫通パイプを総称し、また特に指定の無いコイルばねは、圧縮コイルばねと引張コイルばねの総称をいう。
【００２６】
また、温冷配膳車の実施の形態を示す各実施例において、同じ構成には同一符号を付して、重複する説明を省略する。
【実施例１】
【００２７】
図１は、温冷配膳車の実施例１を配膳車前面（正面）側から見たもので、一部左側はドア開放状態の庫内を示す温冷配膳車の全体外観図である。温冷配膳車８は図１において左右の走行方向に移動可能で、走行方向に直交する庫内奥行方向を前後の幅方向と指称する。
【００２８】
温冷配膳車８は庫内の配膳室４０が多段（例えば６段）構造に構成される。温冷配膳車８の庫内配膳室４０に温蔵部１と冷蔵部２とを区分する仕切部３が配置される。庫内配膳室４０は、仕切部３で各段の配膳室を温蔵部１と冷蔵部２に仕切っており、仕切部３は、各段の配膳室毎にそれぞれ区画して設けられる。
【００２９】
温冷配膳車８の筐体４１内に形成される庫内配膳室４０はセパレーターユニット６により、庫内配膳室４０を各段毎にセパレートしている。セパレーターユニット６は、各段の配膳室に配置された仕切部３と、温冷配膳車８の左右の筐体４１に対向して設けられた支持部４と、左右の対向する支持部４に両端が両持ち支持され、仕切部３を貫通して水平方向に延びる第一および第二の貫通パイプ５とから構成される。第一および第二の貫通パイプ５，５は、庫内の各段の配膳室内の筐体前面側と筐体背面側に前後並列状態で水平方向に架設されて配置される。第一および第二の貫通パイプ５，５は、仕切部３の前後端面（筐体前面側と筐体背面側の端面）から等距離位置で並設されて両持ち支持される。各段の仕切部３は、第一および第二の貫通パイプ５，５の軸方向に沿って左右にスライドして移動自在に設けられる。
【００３０】
温冷配膳車８は、庫内の各段配膳室に仕切部３およびセパレーターユニット６がそれぞれ配設され、複数段のセパレーターユニット６の上下の仕切部３，３の間にトレイ７が出入れ可能に搭載される。トレイ７は、図２および図３に示すように、貫通パイプ５上で出入れ可能に載置される。
【００３１】
セパレーターユニット６の貫通パイプ５は、温冷配膳車８の庫内配膳室４０に設けられ、水平方向に横架される。セパレーターユニット６の貫通パイプ５内に、図２および図３に示すコイルばねが収容される。貫通パイプ５には、底部側に軸方向に延びるスリットが形成され、このスリットは仕切移動溝９を構成している。貫通パイプ５のスリットである仕切移動溝９内を、仕切部３内に格納された摺動ブロック１０が突出しており、固定された摺動ブロック１０の突出部にコイルばねの一端が固定される。コイルばねの他端は貫通パイプ５の端部に固定される。
【００３２】
また、庫内の各段配膳室を温蔵部１と冷蔵部２に仕切る仕切部３が構成される。仕切部３は庫内配膳室４０を、図２および図３に示すように左側の温蔵部１と右側の冷蔵部２とに仕切っている。
【００３３】
一方、図２は貫通パイプ５に収納されたコイルばねとして圧縮コイルばね１１を設けた例を示し、図３は貫通パイプ５に収納されたコイルばねとして引張コイルばね１２を設けた例を示す。圧縮コイルばね１１を収容した貫通パイプ５には、図２に示すように引張紐である横移動紐１３の一端が摺動ブロック１０のコイルばね収納側の突出部側面に固定される。横移動紐１３の他端は貫通パイプ５内を通り、左側の支持部４に設けられた横ローラ１４を介して巻取ロッド（図示せず）に連結され、この巻取ロッドで巻き取られるようになっている。
【００３４】
また、引張コイルばね１２を収容した貫通パイプ５には、図３に示すように、引張紐である横移動紐１３は、一端が摺動ブロック１０の突出部側面に固定されるが、引張コイルばね１２を固定した摺動ブロック１０の突出部の反対側に設けられる。横移動紐１３の他端は、引張コイルばね１２を収容しない貫通パイプ５内を通り、図３に示すように右側の支持部４に設けられた横ローラ１４を介して巻取ロッド（図示せず）に連結され、この巻取ロッドで巻き取られるようになっている。
【００３５】
コイルばねが圧縮コイルばね１１であるとき、貫通パイプ５内を通る各段の横移動紐１３の他端は、図２に示すように左側の横ローラ１４を通って案内され、左側で前後対の横ローラ１４間の中間で、最下段から最上段に亘って立設された回転自在の巻取ロッドに固定される。圧縮コイルばね１１は無負荷時の自然長と最大圧縮状態との間（コイルばねの有効長さ）で伸縮される。
【００３６】
また、コイルばねが引張コイルばね１２であるとき、貫通パイプ５内を通る各段の横移動紐１３は、図３に示すように右側の横ローラ１４を通って案内され、右側で前後対の横ローラ１４間の中間で、最下段から最上段に亘って立設された回転自在の巻取ロッドに固定される（図４，図５参照）。引張コイルばね１２は無負荷時の自然長と最大引張状態との間で伸縮される。
【００３７】
さらに、巻取ロッドには、一端が固定されて巻き付けられた巻取紐１６の他端を掛け止める掛止具１７が筐体４１の側面に設けられる。
【００３８】
このようにして、巻取紐１６の巻上げまたは巻戻しにより巻取ロッドが所要量回転し、全段のセパレーターユニット６の仕切部３をコイルばねの有効範囲内で一括して左右に移動可能の仕切一括移動機構が設けられる。仕切一括移動機構は、主に、仕切部３と、貫通パイプ（第一および第二の貫通パイプ）５と、コイルばね（圧縮コイルばね１１または引張コイルばね１２）と、横移動紐１３と、巻取ロッドおよび巻取紐１６とから構成される。
【００３９】
したがって、実施例１の温冷配膳車８は、庫内の配膳室４０に複数段の配膳室を多段に配置し、前記庫内配膳室４０は複数段のセパレーターユニット６により各段の配膳室に分けられ、各段の配膳室に温蔵部１と冷蔵部２とを区分する仕切部３がそれぞれ設けられる。前記セパレーターユニット６は、前記仕切部３と、前記各段の配膳室に前後並列状態で水平方向に架設された第一および第二の貫通パイプ５と、これらの貫通パイプ５の両端部を両持ち支持する、筐体に固定の支持部４と、からそれぞれ構成され、前記複数段のセパレーターユニット６の上下仕切部の間にトレイ７が出入れ可能に搭載される。
温冷配膳車８は、
（Ａ）前記仕切部３を摺動可能に貫通支持し、仕切移動溝９が長手方向に延びる前記第一および第二の貫通パイプ５と、
（Ｂ）前記仕切部３に格納され、前記仕切移動溝９を通って前記貫通パイプ５内に突出する摺動ブロック１０と、
（Ｃ）前記貫通パイプ５の内部に収容され、前記貫通パイプ５の一端部と前記摺動ブロック１０の突出部とを連結するコイルばねと、
（Ｄ）前記コイルばねが圧縮コイルばね１１の場合、前記摺動ブロック１０の圧縮コイルばね連結部側に、また、前記コイルばねが引張コイルばね１２の場合、前記移動ブロック１０の引張コイルばね連結部の反対側に、それぞれ一端が固定される横移動紐１３と、
（Ｅ）前記横移動紐１３が前記貫通パイプ５内を通って案内され、前記貫通パイプ５の端部側から導かれる前後対の横ローラ１４とを各段のセパレーターユニット６にそれぞれ備え、
（Ｆ）前後対の横ローラ１４から導かれる各段の横移動紐１３の他端同士を固定させる一方、前後対の横ローラ１４間に配設されて回転可能に最下段から最上段に亘って立設された巻取ロッド１５と、
（Ｇ）前記巻取ロッド１５に一端を固定して巻き付けられた巻取紐１６を掛止する、前記筐体４１に設けられた掛止具１７とをさらに有し、
（Ｈ）前記コイルばねが無負荷のとき、前記各段のセパレーターユニット６の横移動紐１３は前記仕切部３の摺動ブロック１０を横ローラ１４を介して前記巻取ロッド１５にたわみなく接続され、前記巻取紐１６の巻上げまたは巻戻しにより全段のセパレーターユニット６の仕切部３を前記コイルばねの有効範囲で一括して左右に移動可能に構成された仕切一括移動機構を備えたものである。
【実施例２】
【００４０】
実施例２に係る温冷配膳車８Ａは、実施例１に示された温冷配膳車８から第一および第二の貫通パイプ５の仕切移動溝９、摺動ブロック１０、コイルばね（圧縮コイルばね１１、引張コイルばね１２）、横移動紐１３、横ローラ１４を省略して、仕切部３を貫通させる一方、図４に示すように、並列状態に配設された第一および第二の貫通パイプ５の中央部に第三の貫通パイプ５−ａを配設したものである。
【００４１】
第三の貫通パイプ５−ａは、左右の支持部４に第一および第二の貫通パイプ５と並列状態に両持ち支持される。第三の貫通パイプ５−ａは、長手方向に延びる仕切移動溝９、仕切部３内に固定された摺動ブロック１０、コイルばね（引張コイルばね１２）、横移動紐１３を備える。第三の貫通パイプ５−ａに収容されるコイルばねの引張コイルばね１２は、仕切部３内に格納された摺動ブロック１０と第三の貫通パイプ５−ａの左端部との間に連結される。引張コイルばね１２を連結した摺動ブロック１０の反対側に横移動紐１３の一端が固定され、この横移動紐１３は第三の貫通パイプ５−ａ内を通り、この貫通パイプの他端部から横ローラ１４を経て巻取ロッド１５に他端が固定される。横移動紐１３の巻取ロッド１５への連結部には、連結部の一方の横移動紐１３にフック３０が、連結部他方の巻取ロッド１５にリング３１が設けられ、横移動紐１３は巻取ロッド１５に取外し可能に連結される。
【００４２】
また、巻取ロッド１５には、巻取紐１６が固定され、この巻取紐１６の他端は、例えば筐体４１の前面側に延びて、掛止具１７に掛け止めされ、固定される。
【００４３】
実施例２の温冷配膳車８は、仕切部３の摺動ブロック１０にコイルばね連結部の反対側で一端が固定された横移動紐１３の他端側を筐体４１近傍の巻取ロッド１５に連結し、巻取紐１６の巻上げあるいは巻戻し操作により、摺動ブロック１０を格納した全段のセパレーターユニット６の仕切部３を一括して左右に移動させる仕切一括移動機構を備えたものである。
【実施例３】
【００４４】
実施例３に係る温冷配膳車８Ｂは、第一および第二の貫通パイプ５に個別に引張コイルばね１２を１本に集約し、図５に示すように共通の引張コイルばね１２−ａを備えた仕切一括移動機構を備えたものである。
実施例３の温冷配膳車８Ｂは、第一および第二の貫通パイプ５内に個別に備えた引張コイルばね１２を１本に集約するため、
（Ａ）かつて引張コイルばね１２を搭載していた各段の配膳室の支持部４の、長手方向の中央部（前後の幅方向中央部）に、新たな引張コイルばね１２−ａを、中央を固定して備え、
（Ｂ）前記引張コイルばね１２−ａの両自由端にも、横移動紐１３−ａを結束し、他方を、支持部４に設けた前後対の横ローラ１４−ａを介して貫通パイプ５内に方向を変えて案内し、
（Ｃ）前記引張コイルばね１２−ａが無負荷時に、仕切部３内の対向する摺動ブロック１０と、たわみ無く連結し、仕切部３を挟んだ摺動ブロック１０の反対側に一端が固定された横移動紐１３−ｂを、横ローラ１４−ａを経て巻取ロッド１５に固定する一方、前記巻取ロッド１５に一端が巻かれて固定された巻取紐１６の他端を掛止具１７に掛け止めし、前記巻取紐１６の巻上げまたは巻戻し操作により、各段のセパレーターユニット６の仕切部３を、引張コイルばね１２−ａの有効範囲で仕切部３を左右に移動する仕切一括移動機構を備えたものである。
【実施例４】
【００４５】
実施例４に示された温冷配膳車８Ｃは、図５に示された左側の引張コイルばね１２−ａに代えて、図６に示す錘１８を昇降自在に設けたものである。実施例４に係る温冷配膳車８Ｃは、引張コイルばね１２−ａの仕切一括移動機構を備えた実施例３の温冷配膳車８Ｂの引張コイルばね１２−ａに代わって、錘１８を吊設して設けたもので、図５の温冷配膳車８の左側を図６に示すように構成したものである。図６は、各段の配膳室において、前後対の横ローラ１４間で結束される横移動紐１３−ａを案内する一対の支持ローラ１９と、最下段の前後対の支持ローラ１９より下方に設けられた反転ローラ２０と、反転ローラ２０の上方に位置する吊下げローラ２２と、横移動紐１３−ａの結束部に錘用紐２１が連結され、その他端は反転ローラ２０および吊下げローラ２２を通って連結される錘１８とを備え、錘１８による仕切一括移動機構を有するものである。
【００４６】
実施例４の温冷配膳車８Ｃは、
庫内の配膳室に複数段の配膳室を多段に配設し、
前記庫内の配膳室は複数段のセパレーターユニット６により各段の配膳室に分けられ、
各段の配膳室に温蔵部１と冷蔵部２とを区分する仕切部３がそれぞれ設けられ、
前記セパレーターユニット６は、前記仕切部３と、前記各段の配膳室に前後並列状態で水平方向に架設された第一および第二の貫通パイプ５と、これらの貫通パイプ５の両端部を両持ち支持する、筐体に固定の支持部４と、からそれぞれ構成され、
前記複数段のセパレーターユニット６の上下仕切部の間にトレイ７が出入れ可能に搭載される。
温冷配膳車８Ｃは、
（Ａ）前記仕切部３を摺動可能に貫通支持し、仕切移動溝９が長手方向に延びる前記第一および第二の貫通パイプ５と、
（Ｂ）前記仕切部３に格納され、前記仕切移動溝９を通って前記貫通パイプ５内に突出する摺動ブロック１０と、
（Ｃ）前記摺動ブロック１０の一側に固定され、前記貫通パイプ５の一側方を通る一方の横移動紐１３−ａを案内する前後対の横ローラ１４−ａと、
（Ｄ）前記摺動ブロック１０の他側に固定され、前記貫通パイプ５の他側内を通る他方の横移動紐１３−ｂを案内する前後対の他方の横ローラ１４−ｂと、
（Ｅ）前記摺動ブロック１０の一側から前後対の一方の横ローラ１４−ａを経て案内される一方の横移動紐１３−ａ同士を結束する一方、この結束部の両側で案内する一対の支持ローラ１９とを各段のセパレーターユニット６にそれぞれ備える。
温冷配膳車８Ｃは、図５に示すように、
（Ｆ）前記一方の横移動紐１３−ａは最上段から中央段まで各段対の支持ローラ１９の上部を通過して互いに結束させる一方、中央段より一段下の段から最下段までは各段対の支持ローラ１９の下部を通して結束させ、前記最下段の対の支持ローラ１９の下方に設けられた反転ローラ２０と、
（Ｇ）前記反転ローラ２０の上方に設けられた吊下げローラ２２と、
（Ｈ）各段の一方の横移動紐１３−ａ同士の結束部に係止される錘用紐２１が反転ローラ２０および吊下げローラ２２を経て先端に昇降自在に設けられる錘１８と、
（Ｉ）前記摺動ブロック１０の他側から前後対の他方の横ローラ１４を経て案内される他方の横移動紐１３−ｂの他端同士が固定される一方、最下段から最上段に亘って立設され、回転可能な巻取ロッド１５と、
（Ｊ）前記巻取ロッド１５に一端を固定して巻き付けられた巻取紐１６を掛止する、前記筐体４１側の掛止具１７とをさらに有し、
（Ｋ）前記巻取紐１６の巻上げまたは巻戻しにより、前記錘１８の最上点と最下点の範囲内で、前記セパレーターユニット６の仕切部３を一括して左右に移動可能に構成された錘１８による仕切一括移動機構を備えたものである。
【実施例５】
【００４７】
実施例５に示される温冷配膳車８Ｄは、図７に示すように構成したものである。この温冷配膳車８Ｄは、図５に示す引張コイルばね１２−ａに代わって、錘１８を搭載した仕切一括移動機構を備え、図７に示すように、錘１８を搭載した区分側に巻取ロッド１５−ａを配設したものである。この温冷配膳車８Ｄでは、実施例４（図６）に示した温冷配膳車８Ｃの錘１８を搭載した区分側に、対の支持ローラ１９、反転ローラ２０および吊下げローラ２２の設置を省略し、代りに、巻取ロッド１５−ａおよび錘載下ローラ２３を設けたものである。
【００４８】
実施例５の温冷配膳車８Ｄは、錘１８を搭載した区分側に、
（Ａ）錘１８を備えた区分側の筐体側面にも、巻取ロッド１５−ａを追加し、
（Ｂ）前後対の横ローラ１４−ａを介して、前記横移動紐１３−ａを、前記巻取ロッド１５−ａにたわみ無く連結し、
（Ｃ）前記巻取ロッド１５に連結した前記巻取紐１６（図５参照）の長さを、
（Ｄ）仕切部３が最も錘１８側（図５の左側）の所望の位置に移動したときに、錘１８が筐体の床面より高い位置を最下点とし、
（Ｅ）仕切部３が錘側から最も遠い位置（図５の右側）に移動したときを最上点とし、
（Ｆ）追加した巻取ロッド１５−ａを、前記錘１８を備えた区分側の筐体側面に備える、錘載下ローラ２３を介して、錘用紐２１により前記錘１８に連結し、
（Ｇ）前記錘１８が前記最上点と最下点の範囲で昇降して全段のセパレーターユニット６の仕切部３を左右に一括で移動する、仕切一括移動機構を備えるものである。
【実施例６】
【００４９】
実施例６に示された温冷配膳車８Ｅは、図８に示すように構成したものである。この温冷配膳車８Ｅは、実施例１のコイルばね（圧縮コイルばね１１、引張コイルばね１２）、実施例３の引張コイルばね１２−ａまたは実施例５に記載された錘１８と巻取ロッド１５−ａを備えた上で、錘１８を搭載した区分の反対側（図５の右側）に巻取ロッド１５、巻取紐１６、掛止具１７およびバランスウエイト２４、バランスウエイト用ローラ２５、バランスウエイト用巻取紐２６を備えたものである。
【００５０】
実施例６の温冷配膳車８Ｅは、巻取紐１６の巻取り、巻戻し操作に、バランスウエイト２４のアシスト力を利用可能としたものである。
【００５１】
温冷配膳車８Ｅは、コイルばねまたは錘１８に抗して、巻取紐１６を巻き取ると、巻取紐１６が巻き付けられた巻取ロッド１５は、その巻取紐２６によりバランスウエイト用ローラ２５を介してバランスウエイト２４を吊設している。
【００５２】
また、コイルばねまたは錘１８が、かつて無負荷だったときの仕切部３の位置で、前記巻取ロッド１５にバランスウエイト用巻取紐２６を連結する。そして、前記バランスウエイト用巻取紐２６の長さは、コイルばねの有効長さ、または錘１８による仕切部３の左右の移動長さを前記最上点と最下点にする長さに対応させて、バランスウエイト２４が上下する長さとする仕切一括移動機構を備えたものである。
【００５３】
実施例６の温冷配膳車８Ｅは、図８に示すように、
（Ａ）前記巻取ロッド１５に一端が固定されたバランスウエイト用巻取紐２６と、
（Ｂ）前記巻取ロッド１５からのバランスウエイト用巻取紐２６を案内するバランスウエイト用ローラ２５と、
（Ｃ）前記バランスウエイト用ローラ２５に案内されるバランスウエイト用巻取紐２６の下端に固定されるバランスウエイト２４とを有し、
（Ｄ）前記巻取ロッド１５とバランスウエイト２４との間をバランスウエイト用巻取紐２６で連結して仕切一括機構が構成されるものである。
【実施例７】
【００５４】
実施例７に示された温冷配膳車８Ｆは、図１０に示すように構成されたものである。
【００５５】
図１０に示される温冷配膳車８Ｆには、筐体４１の外壁上に可逆回転可能な駆動モータ２７とモータ出力軸に設けられたドライブプーリ２８ａおよび巻取ロッド上に設けられたドリブンプーリ２８ｂと、両プーリ２８ａ，２８ｂに巻き掛けられたベルト２９とが備えられる。
【００５６】
実施例７の温冷配膳車８Ｆは、図５および図８に示す巻取紐１６と、巻取紐１６の掛止具１７を省略し、巻取ロッド１５を筐体４１壁面を貫いて突出させる。筐体４１の外壁面上には可逆回転可能な駆動モータ２７を設置するとともに、駆動モータ２７のモータ出力軸にドライブプーリ２８ａを設ける一方、前記巻取ロッド１５の突出部にドリブンプーリ２８ｂを設け、両プーリ２８ａ，２８ｂ間をベルト２９で連結して構成される。駆動モータ２７は両プーリ２８ａ，２８ｂとベルト２９を備える代わりに、駆動モータ２７の回転駆動力を減速機を介して巻取ロッド１５を回転駆動させるようにしてもよい。
【００５７】
図１０に示された温冷配膳車８Ｆは、駆動モータ２７を正転、逆転の可逆回転させて巻取ロッド１５を所要量回転駆動させることにより、全段のセパレーターユニット６の仕切部３を貫通パイプ５に沿って左右に一括して移動させる仕切一括移動機構が備えられる。
実施例７に示された温冷配膳車８Ｆは、
（Ａ）筐体４１の外壁に設置された可逆駆動モータ２７と、
（Ｂ）前記駆動モータ２７の出力軸に設けられたドライブプーリ２８ａと、
（Ｃ）前記巻取ロッド１５に設けられたドリブンプーリ２８ｂと、
（Ｄ）前記ドライブプーリ２８ａドリブンプーリ２８ｂを連結するベルト２９とを有し、
（Ｅ）前記駆動モータ２７を正転または逆転させて巻取ロッド１５を回転させ、全段セパレーターユニット６の仕切部３の位置を一括して左右に移動させる仕切一括移動機構を備えたものである。
【実施例８】
【００５８】
実施例８は、温冷配膳車に備えられるセパレーターユニット６の仕切部３を貫通パイプ５に沿って移動させる横移動紐１３と筐体４１近傍に回転可能に最下段から最上段に亘って立設される巻取ロッド１５との連結部は、図４，図５，図７，図８および図１０のように構成される。横移動紐１３（１３−ｂ）の端部を巻取ロッド１５に固定させる連結部は、横移動紐１３（１３−ｂ）にフック３０を、巻取ロッド１５にリング３１をそれぞれ設けて、フック３０をリング３１に掛け止めして連結部を着脱自在に構成している。
【００５９】
また、図６に示すように、錘１８を吊設した錘用紐２１と横移動紐１３−ａ同士の結束部との連結部では、何れか一方の紐にフック３０を、他方にリング３１を備えて着脱自在に構成される。
実施例８は、
（Ａ）前記横移動紐１３と巻取ロッド１５との連結部間と、
（Ｂ）錘１８を下げたときの前記横移動紐１３−ａと錘用紐２１との連結部間とは
（Ｃ）何れか一方の紐にフック３０を、他方にリング３１を取り付けて、フック３０をリング３１に着脱自在に連結する構成とした仕切一括移動機構を温冷配膳車に備えたものである。
【実施例９】
【００６０】
実施例９に示された温冷配膳車８Ｆは、図９に示すように構成される。この温冷配膳車８Ｆは、実施例２（図４）に示された第三の貫通パイプ５−ａに収容された引張コイルばね１２を省略し、横移動紐１３を巻取ロッド１５に巻き付け、巻取紐１６を正転、逆転操作させることで、横移動紐１３を可逆回転させ、セパレーターユニット６の仕切部３を、所望の位置に一括して左右に移動させ、掛止具１７で係止させるようにしたものである。
実施例９の温冷配膳車８Ｆは、第三の貫通パイプ５−ａのコイルばねを省略し、
（Ａ）巻取ロッド１５を備えない区分の支持部４に、左右対の横ローラ１４を追加して備え、
（Ｂ）摺動ブロック１０の一端に結束（結合）した横移動紐１３を、追加した一方の横ローラ１４を介し、再び第三の貫通パイプ５−ａ内に戻して案内し、前記摺動ブロック１０を通過して反対側に伸び、他方の横ローラ１４を経て巻取ロッド１５を周回し、再び第三の貫通パイプ５−ａ内部に戻り、前記摺動ブロック１０の他端面にループとしてたわみ無く結合させ、
（Ｃ）前記ループ状に連結した横移動紐１３で、仕切移動溝９の距離の範囲で、仕切部３を所望の位置に一括して左右に移動させ、掛止具１７で停止させる仕切一括移動機構を備えたものである。
【符号の説明】
【００６１】
１  温蔵部
２  冷蔵部
３  仕切部
４  支持部
５  貫通パイプ
６  セパレーターユニット
７  トレイ
８，８Ａ〜８Ｆ  温冷配膳車
９  仕切移動溝（スリット）
１０  摺動ブロック
１１圧縮コイルばね
１２  引張コイルばね
１３  横移動紐
１４  横ローラ（ガイドローラ）
１５  最下段から最上段に亘って備える回転自在の巻取ロッド
１６  巻取紐
１７  掛止具
１８  錘
２４  バランスウエイト
２５  バランスウエイト用ローラ
２６  バランスウエイト用巻取紐
２７  駆動モータ
２８ａ  ドライブプーリ
２８ｂ  ドリブンプーリ
２９  ベルト
３０  フック
３１  リング
４０  庫内配膳室
４１  筐体
【要約】
【課題】  筐体の間口方向の左右に、トレイを水平にスライドさせる移動空間を備えずに、全段の仕切部を一括して左右に移動させて、温蔵部と冷蔵部のトレイの面積比率を変更できる、仕切一括移動機構を備え、且つ清掃しやすい温冷配膳車を提供するものである。
【解決手段】  仕切部を摺動可能に貫通する貫通パイプの長手方向に仕切移動溝を備え、仕切部内部から仕切移動溝を通過して貫通パイプ内部に至る摺動ブロックを備え、一方の区分の貫通パイプ内部にコイルバネを備え、他方の区分の貫通パイプ内部に横移動紐を備え、コイルバネの圧縮力または引張力に抗して作業者が巻取ロッドの巻取紐を引き、仕切部を所望に位置に移動する、仕切一括移動機構を備えることを特徴とする温冷配膳車。
【選択図】図３【図１】
0005807106.tif 000002
【図２】
0005807106.tif 000003
【図３】
0005807106.tif 000004
【図４】
0005807106.tif 000005
【図５】
0005807106.tif 000006
【図６】
0005807106.tif 000007
【図７】
0005807106.tif 000008
【図８】
0005807106.tif 000009
【図９】
0005807106.tif 000010
【図１０】
0005807106.tif 000011